(57)【要約】      （修正有）【課題】帯板材を支持部材へ並べ付けるだけで表面が面一の掲示面を有する掲示体を安価に製作することができて、しかも、この掲示体の組み合わせ数と形状を変えると多様な掲示体を形成することが可能な掲示体を提供すること。【解決手段】裏側の両側に一対の接合縁を有する帯板材４を、接合縁同士の係合で支持部材５へ並べ付けて表示シート等の掲示面を構成させる掲示体１であって、上記帯板材４の裏側に設けられる一方の接合縁が凸部を、他方の接合縁が凹部を、帯板材４の表面よりの距離が等しくなるように形成されて、帯板材４を接合縁３の凹部に接合縁の凸部が係合するように支持部材へ並べ付けると、各帯板材の表面が面一となるように揃えられる。【選択図】図１
2006178319.tif 000002
【特許請求の範囲】
【請求項１】
裏側の両側に接合縁を有する帯板材を、接合縁の係合で支持部材へ並べ付けて表示シートの掲示面を構成させる掲示体であって、
上記帯板材の裏側に設けられる一方の接合縁が凸部を、他方の接合縁が凹部を、帯板材表面よりの距離が等しくなるように形成されて、
帯板材を接合縁の凹部に凸部が係合するように支持部材へ並べ付けると、各帯板材の表面が面一となるように揃えられる
ことを特徴とする掲示体。
【請求項２】
帯板材の裏側に設けた凹部を有する接合縁に、帯板材の側縁よりも外方へ延出する横向き片と、この横向き片の先端より前方へ延出する前向き片よりなる鉤型の係合部を連設して、
この鉤型の係合部における前向き片の先端側には、隣り合う帯板材の裏側に設けた係止体へ係合して、帯板材同士の引き付けを行なう構造の係合体を設けてある
ことを特徴とする請求項１に記載の掲示体。
【請求項３】
帯板材の一方の接合縁に連接した鉤型延長部の前向き片に、隣り合う帯板材の裏側に設けた係止体へ当ると、帯板材同士の表面が面一となるように位置規制をする規制部が設けられている
ことを特徴とする請求項１または請求項２に記載の掲示体。
【請求項４】
帯板材の裏側の両側に設けた一対の接合縁が、帯板材を並べたとき相互の間に隙間ができるように位置付けされている
ことを特徴とする請求項１〜請求項３のいずれか１つに記載の掲示体。
【請求項５】
帯板材の一方の接合縁に連設した鉤型の係合部を、前向き片の先端が隣合う帯板材の裏面へ当ると、帯板材同士の表面が面一に揃うように形成してある
ことを特徴とする請求項１〜請求項４のいずれか１つに記載の掲示体。
【請求項６】
帯板材の一方の縁部材に連設した鉤型係合部の鉤部が、この部分での変形を容易にするため撓み易い形に形成されている
ことを特徴とする請求項１〜請求項５のいずれか１つに記載の掲示体。
【請求項７】
帯板材の一方の縁部材に連設した鉤型係合部の前向き片が、この部分での変形を容易にするため撓み易い形に形成されている
ことを特徴とする請求項１〜請求項６のいずれか１つに記載の掲示体。
【請求項８】
帯板材の一方の縁部材に連設した鉤型係合部の前向き片に設けられる係合体が、係合面を前段側よりも後段側の角度が小さくなる２段斜面に形成されている
ことを特徴とする請求項１〜請求項７のいずれか１つに記載の掲示体。
【請求項９】
帯板材を接合縁の凹部に凸部が係合するように支持部材へ並べ付けて、各帯板材の表面が面一に揃って表示シートの掲示面を構成する掲示体の周囲に廻し縁を取り付けた
ことを特徴とする請求項１〜請求項８のいずれか１つに記載の掲示体。
【発明の詳細な説明】
【技術分野】
【０００１】
本発明は、各種の表示シートを掲示する掲示面を帯板材を並べて構成させる掲示体に関する。
【背景技術】
【０００２】
従来、形材製の表示体は、支柱間に架設される表示面材を、上下に凹凸部を有する複数の形材の凹凸部を嵌合させて形成すると共に、上記凹凸部間に接着剤を介在して形材同士を固着して形成する構成を採用している。（例えば、特許文献１参照）
【特許文献１】特開平１１−２１９１４１号公報
【０００３】
しかしながら、上記表示体は、中空構造の形材を用いるため、表裏両面に表示機能を持たせることはできるが、３面、４面、或いは５面以上に表示ができる表示体の構成は不可能であって、しかも、中空構造の形材を凹部と凸部を接着嵌合して構成する表示体は廉価に製作することができない問題点がある。
【発明の開示】
【発明が解決しようとする課題】
【０００４】
本発明は前記問題点を解決し、帯板材を支持部材へ並べ付けるだけで表面が面一の掲示面を有する掲示体を安価に製作することができて、しかも、この掲示体の組み合わせ数と形態を変えれば、多様な掲示体を構成することが可能な掲示体を提供することをその課題とする。
【課題を解決するための手段】
【０００５】
前記課題を解決するため本発明に係る掲示体は、下記の構成を採用することを特徴とする。
【０００６】
裏側の両側に接合縁を有する帯板材を、接合縁の係合で支持部材へ並べ付けて表示シートの掲示面を構成させる掲示体であって、上記帯板材の裏側に設けられる一方の接合縁が凸部を、他方の接合縁が凹部を、帯板材表面よりの距離が等しくなるように形成されて、帯板材を接合縁の凹部に凸部が係合するように支持部材へ並べ付けると、各帯板材の表面が面一となるように揃えられること。
【０００７】
帯板材の裏側に設けた凹部を有する接合縁に、帯板材の側縁よりも外方へ延出する横向き片と、この横向き片の先端より前方へ延出する前向き片よりなる鉤型の係合部を連設して、この鉤型の係合部における前向き片の先端側には、隣り合う帯板材の裏側に設けた係止体へ係合して、帯板材同士の引き付けを行なう構造の係合体を設けてあることが好ましい。
【０００８】
帯板材の一方の接合縁に連接した鉤型延長部の前向き片に、隣り合う帯板材の裏側に設けた係止体へ当ると、帯板材同士の表面が面一となるように位置の規制をする規制部が設けられていることが好ましい。
【０００９】
帯板材の裏側の両側に設けた一対の縁部材が、帯板材を並べたとき相互の間に若干の隙間ができるように位置付けされていることが好ましい。
【００１０】
帯板材の一方の縁部材に連設した鉤型の係合部を、前向き片の先端が隣り合う帯板材の裏面へ当ると、帯板材同士の表面が面一に揃うように形成してあることが好ましい。
【００１１】
帯板材の一方の縁部材に連設した鉤型係合部の鉤部が、この部分での変形を容易にするため、撓み易い形に形成されていることが好ましい。
【００１２】
帯板材の一方の縁部材に連設した鉤型係合部の前向き片が、この部分での変形を容易にするため撓み易い形に形成されていることが好ましい。
【００１３】
帯板材の一方の縁部材に連設した鉤型係合部の前向き片に設けられる係合体が、係合面を前段側よりも後段側の角度が小さくなる２段斜面に形成されていることが好ましい。
【００１４】
帯板材を接合縁の凹部に凸部が係合するように支持部材へ並べ付けて、各帯板材の表面が面一に揃って表示シートの掲示に適した掲示面を構成する掲示体の周囲には、廻し縁を取り付けることが好ましい。
【発明の効果】
【００１５】
請求項１の効果  帯板材を裏側に設けた接合縁の凹部と凸部を係合させて支持部材へ並べ付けるだけで、表面が面一の掲示面となる掲示体を安価に形成することができて、しかも、この掲示体は、表示シートが筋目などを生じないように平らに貼れるため掲示の見栄えがよく、また、掲示体の組み合わせ数と形態を変えれば、多様な掲示体を簡単に構成することができる。
【００１６】
請求項２の効果  鉤型係合部の前向き片に設けた係合体を、隣り合う帯板材の裏側に設けた係止体へ係合させれば、帯板材同士の引き付けが行なわれて、帯板材の間隙を最小にすることができる。
【００１７】
請求項３の効果  鉤型係合部の前向き片に設けた規制部材を、隣り合う帯板材に設けた係止体へ当てると、帯板材同士の表面揃えが行なわれて、表面を面一にすることができる。
【００１８】
請求項４の効果  帯板材を並べ付けるとき、若干の隙間ができるので、接合縁同士が全面的に接触しないため、帯板材の側縁を支障なく接近させて最小寸法にすることができる。
【００１９】
請求項５の効果  鉤型係合部の前向き片の先端を隣り合う帯板材の裏面へ当てると、帯板材同士の表面揃えが行なわれて、表面を面一にすることができる。
【００２０】
請求項６の効果  鉤型係合部の鉤部が変形し易くなるため、前向き片に設けた係合体を係止体へ係合させ易くなる。
【００２１】
請求項７の効果  鉤型係合部の前向き片が変形し易くなるため、前向き片に設けた係合体を係止体へ係合させ易くなる。
【００２２】
請求項８の効果  係合体の斜面を前段の角度が大きく、後段の角度が小さくなる二段斜面にすると、係合体が容易に係止体へ係合して、係合後の係止体との噛み合いが円滑確実に行われる。
【００２３】
請求項９の効果  掲示体の周囲へ取り付けた廻し縁は、帯板材の端部を隠すと共に化粧して掲示体の見栄えを良くする。
【発明を実施するための最良の形態】
【００２４】
以下に本発明に係る掲示体の実施形態を図面について説明する。
【実施例１】
【００２５】
図１、図２において符号１で示す掲示体は、裏側の両側に接合縁２と接合縁３を有する帯板材４を、接合縁２と接合縁３の係合で支持部材５へ並べ付けて、表示シート６を掲示する掲示面１ａを構成させるものである。
【００２６】
上記帯板材４は、アルミニウムの押出成形等で図３に一部分を示す通りの長尺物に形成するものであり、裏側の一方及び他方に図３、図４に示す通り、後方へ向う接合縁２と接合縁３を設けられて、これら接合縁２と接合縁３は、帯板材４を並べたとき相互の間に図５に示す通りの間隙７ができるように配置されている。そして、一方の接合縁２には、帯板材４の側縁よりも外側へ突出するＬ形の凸部８を、他方の接合縁３には、上記凸部８に合わせてＬ形とした凹部９をそれぞれ帯板材４の表面よりの距離が等しくなるように連設してある。接合縁２と接合縁３における帯板材４の表面部付近の接合部の厚みは、帯板材４の板厚の１／２倍から３倍程度が好ましい。３倍以上に厚くなると、合せ面が、面一になりにくく、１／２倍以下では、表面部の角部がつぶれやすくなる。
【００２７】
接合縁３に連設されるＬ形の凹部９の先端には、図５に示す通り、帯板材４の側縁よりも外方へ延出する横向き片１０ａと、横向き片１０ａの先端から前方へ張り出す前向き片１０ｂとよりなる鉤形の係合部１０を連設する。そして、前向き片１０ｂの先端の内側には、斜面１１ａと段部１１ｂを有する係合体１１を設け、この係合体１１の斜面１１ａは、図５の円内に拡大図を示す通り、角度の大きい前段イと、角度の小さい後段ロの二段斜面に形成する。角度の大きい前段イでは、係止体１２を取り込みやすく、角度の小さい後段ロにおいて、係止体１２をすばやく係合できる構成としている。
【００２８】
上記係合体１１に対応させて帯板材４の裏側には、図３〜図５に示す通り、係止体１２を設ける。この係止体１２は、帯板材４よりの立上片１３へ係合体１１と係合するように設けるものであって、傾斜する円弧面１２ａと段部１２ｂとを係合体１１とは反対の関係位置で形成される。また、この係止体１２は、その先端が鉤形係合部１０の前向き片１０ｂに設けた規制部１４へ当ると、隣り合う帯板材４と４の表面が面一に揃えられるように高さを設定してある。
【００２９】
上記鉤形係合部１０の横向き片１０ａと前向き片１０ｂとが交わる角部１５は直角でもよいが、図４、図５に示す通りのＬ形か、図面には示してない円弧形等の撓み易い形１６に形成すると、角部１５が変形し易くなるため、係合体１１を係止体１２へ係合させ易くすることができる。
【００３０】
また、鉤形の係合部１０の横向き片１０ａは、この部分をネジ１７等で支持部材５へ止め付けるため、巾方向の中央付近に図５に示す通り、凹条１８を形成して置き、この凹条１８を案内にしてネジ１７の締め付けを行なうようにする。
【００３１】
帯板材４を並べ付ける支持部材５は、Ｌ形などの鋼材を用いるものであって、図１に示す通り鋼材のパイプか形材を用いた支柱１９へ取付片２０で所要の数を適当な間隔で取り付けて、帯板材４を変形を生じないように支持させるものであり、この支持部材５の数と配列を変換することで、掲示体の数と配列が異なる多種類の掲示体１を形成することができる。
【００３２】
帯板材４を支持部材５へ並び付けて形成する掲示体１は、周囲に帯板材の側縁及び端縁が露出して見栄えがよくない。そこで、周囲には図１に示す通り一面用の廻し縁２１と、二面用の廻し縁２２とを取り付けて、帯板材４の側縁及び端縁を隠すと共に、化粧して掲示体１の見栄えをよくするものであって、この廻し縁２１と２２は、取付け部２１ａ及び２２ａで支持部材５へ固定する。
【００３３】
上記実施形態によって図１に示す通りの掲示体１を形成するには、４本の支柱１９へ前と左右の三方の支持部材５を取り付けて、これら支持部材５の端部に廻し縁２１及び廻し縁２２を取り付ける。そして、各支持部材５へ一方から帯板材５を先行する側縁部が廻し縁２１又は廻し縁２２へ隠れるように当て、他方の接合縁３に連設した鉤型係合部１０の横向き片１０ａを支持部材５へネジ１７で止め付ける。そして、次の帯板材４を図５に鎖線で示す通り斜めにして、端縁を先の帯板材４の端縁に押し付け、実線で示すように回動させると、先の帯板材４の接合縁３に設けた凹部９へ、後の帯板材４の接合縁２の凸部８が実線で示すように係合して、後の帯板材４に設けた係止体１２は、先の帯板材４の鉤型係合部１０の前向き片１０ｂに設けた係合部１１へ係合して、先端を前向き片１０に設けた規制部１４へ当てるので、次の帯板材４の接合縁３に連設した鉤型係合部１０の横向き片１０ａをネジ１７で支持部材５へ止め付けてから、その次の帯板材４を上記同様に取り付けて行けば、帯板材４が支持部材５へ並び付けられて、表示シート６の掲示面１ａを形成するので、この掲示面１ａが希望する大きさに達したとき、最後の帯板材４の端縁を廻し縁２１または廻し縁２２で覆わせて掲示体１を完成させる。この掲示体１は、各帯板材４の接合縁３の凹部９と接合縁２の凸部８との係合及び、鉤形係合部１０の横向き片１０ｂに設けた規制片１４への係止体１２の先端の当接で、各帯板材４の表面を揃える面合わせが行われて、全部の帯板材４の表面が面一になると共に、係合体１１と係止体１２との係合で帯板材４同士の引き付けが行われるため、各帯板材４の間隙を最小になるものである。
【実施例２】
【００３４】
上記実施例１は、帯板材４の支持部材５を支柱１９の間へ横に渡して、この支持部材５へ帯板材４を縦方向に取り付ける縦貼りとしたが、図７、図８に示す通り支持部材５を支柱１９か、支柱１９の間に渡した連結材２３へ縦方向に支持させれば、この支持部材５へ帯板材４を横方向に取り付ける横貼りとして、図８に示す通りの掲示体１を構成することができる。
【実施例３】
【００３５】
この実施例は、掲示体１を構成させる帯板材４の一部分を変化させた実施形態の第一を示すものであって、図９に示す通り、帯板材４の裏側に設けた接合縁２に連設される鉤形係合部１０の角部１５の内側を肉薄部２４とすることで角部１５を撓み易くして、鉤形の係合部１０における前向き片１０ｂの先端に設けた係合体１１が係止体１２へ係合し易くなるようにしたものである。
【実施例４】
【００３６】
この実施例は、掲示体１を構成させる帯板材４の一部分を変化させた実施形態の第二を示すものであって、図１０に示す通り、帯板材４の裏側に設けた接合縁２に連設される鉤形係合部１０の前向き片１０ｂに、途中から一旦外方へ曲がって前方へ曲がる鉤部１０ｃを設け、この鉤部１０ｃの先端内側に係合体１１を設け、鉤部１０ｃの基部は寸法の規制部１４とする。そして、隣り合う帯板材４の裏側に、前向き片１０ｂに対向する立上片１３を先端が寸法規制部１４へ当るように設けて、その外側に係合体１１へ係合する係止体１２を設けたものである。
【実施例５】
【００３７】
この実施例は、掲示体１を構成させる帯板材４の一部分を変化させた実施形態の第三を示すものであって、図１１に示す通り、帯板材４の裏側に設けた接合縁２に連設した鉤形係合部１０の前向き片１０ｂを、先の部分が外側へ反りながら隣り合う帯板材４の裏面へ向って延び、先端の規制部１４が帯板材４の裏面へ当ると、隣り合う帯板材４の表面が面合わせされて、面一になるように寸法設定して形成したものである。
【実施例６】
【００３８】
この実施例は、掲示体１を構成させる帯板材４の一部分を変化させた実施形態の第四を示すものであって、図１２に示す通り、帯板材４の裏側に設けた接合縁２に連設した鉤形係合部１０の前向き片１０ｂを、円弧状に外方へ彎曲させるか、逆くの字状に屈曲させて角部１５が存在しない構造にすると共に、その先部に隣り合う帯板材４の裏側に設けた係止体１２へ係合する係合体１１を設け、係合体１１の外側には隣り合う帯板材４の裏面へ当たる規制部１４を設けて、この規制部１４が帯板材４の裏面へ当ると、隣り合う帯板材４の表面が面一に揃えられるようにしたものである。
【産業上の利用可能性】
【００３９】
表示シート等を掲示する表面が面一となる掲示体を帯板材によって形成することを可能にする。
【図面の簡単な説明】
【００４０】
【図１】帯板材の縦貼りで構成した掲示体の横断平面図
【図２】掲示体の一部分を示す拡大平面図
【図３】帯板材の一部分を示す斜視図
【図４】帯板材の一部分を省略した端面図
【図５】帯板材を支持部材へ並び付ける状態を示す説明図
【図６】帯板材の縦貼りで構成した掲示体の斜視図
【図７】帯板材の横貼りで構成した掲示体の横断平面図
【図８】帯板材の横貼りで構成した掲示体の斜視図
【図９】帯板材の一部を変形した第一例の部分図
【図１０】帯板材の一部を変形した第二例の部分図
【図１１】帯板材の一部を変形した第三例の部分図
【図１２】帯板材の一部を変形した第四例の部分図
【符号の説明】
【００４１】
１  掲示体
１ａ  掲示面
２と３  接合縁
４  帯板材
５  支持部材
６  表示シート
８  凸部
９  凹部
【図１】
2006178319.tif 000003
【図２】
2006178319.tif 000004
【図３】
2006178319.tif 000005
【図４】
2006178319.tif 000006
【図５】
2006178319.tif 000007
【図６】
2006178319.tif 000008
【図７】
2006178319.tif 000009
【図８】
2006178319.tif 000010
【図９】
2006178319.tif 000011
【図１０】
2006178319.tif 000012
【図１１】
2006178319.tif 000013
【図１２】
2006178319.tif 000014